(57)【要約】【課題】異なる制御対象機器に対する複数の設定を、１回のタスク実行操作で実行できるようにする。【解決手段】ユーザ操作に応じて、複数の異なる制御対象機器（１２、１３、２０〜２２、２、３０）を制御対象とする複数の操作を規定したショートカットを記憶媒体に記憶させ、ユーザの選択スイッチ１０ｂに対する１回のショートカット実行指示に応じてショートカットに規定された複数の操作を実行するための複数のコマンドを複数の制御対象機器に送信する。【選択図】図５
2014207606.tif 000002
【特許請求の範囲】
【請求項１】
ユーザ操作に応じて、複数の異なる制御対象機器（１２、１３、２０〜２２、２、３０）を制御対象とする複数の操作を規定したショートカットを記憶媒体に記憶させるショートカット記憶手段と、
ユーザの操作部（１０ｂ）に対する１回のショートカット実行指示に応じて前記ショートカットに規定された前記複数の操作を実行するための複数のコマンドを前記複数の制御対象機器に送信する第１コマンド送信手段と、を備えたことを特徴とする車載制御装置。
【請求項２】
前記複数のコマンドが送信される前の設定状態を記憶する設定状態記憶手段と、
前記ショートカットに、指定時間が経過すると前記複数の操作を実行する前の状態に戻すタイマー設定が規定されている場合、前記コマンド送信手段により前記複数のコマンドが送信されてから前記指定時間が経過すると、前記複数のコマンドが送信される前の設定状態に戻すためのコマンドを前記複数の制御対象機器に送信する第２コマンド送信手段と、を備えたことを特徴とする請求項１に記載の車載制御装置。
【請求項３】
前記記憶媒体には複数の前記ショートカットが記憶されるようになっており、
前記複数のショートカットを表示部に表示させるショートカット表示手段を備え、
前記第１コマンド送信手段は、前記表示部に表示された前記複数のショートカットのうちユーザ操作により選択された１つのショートカットのショートカット実行指示に応じて前記複数のコマンドを前記複数の制御対象機器に送信することを特徴とする請求項１または２に記載の車載制御装置。
【請求項４】
前記複数のコマンドが送信されてから前記指定時間が経過する前にキャンセル操作が行われた場合、前記複数のコマンドが送信される前の設定状態に戻すことができるか否かを判定する判定手段を備え、
前記複数のコマンドが送信される前の設定状態に戻すことができないと判定された場合、前記複数のコマンドが送信される前の設定状態に戻すことができない旨をユーザに通知する第１通知手段を備えたことを特徴とする請求項２に記載の車載制御装置。
【請求項５】
前記ユーザの操作部（１０ｂ）に対する１回のショートカット実行指示の後、前記ショートカットに規定された前記複数の操作を実行できる状況か否かを判定する状況判定手段と、
前記ショートカットに規定された前記複数の操作を実行できる状況でないと判定された場合、前記ショートカットに規定された前記複数の操作を実行できる状況でない旨をユーザに通知する第２通知手段と、を備えたことを特徴とする請求項１ないし４にいずれか１つに記載の車載制御装置。
【発明の詳細な説明】
【技術分野】
【０００１】
本発明は、ユーザ操作に応じて、制御対象機器にコマンドを送信する車載制御装置に関するものである。
【背景技術】
【０００２】
従来、ショートカット機能を果たすプログラマブル・ボタンを備えたナビゲーションシステムが商品化されている（例えば、ＢＭＷ社製  商品名：ｉＤｒｉｖｅ）。このナビゲーションシステムでは、ユーザの好みの機能をプログラマブル・ボタンに割り当てるように登録しておくことで、１回のプログラマブル・ボタンの操作で、登録しておいた機能を実行することが可能となっている。
【０００３】
また、ユーザの行った操作を操作履歴データファイルに記録し、該操作履歴ファイルに基づくマクロプログラムを作成するとともに、マクロ実行命令の入力に応じて、その操作履歴ファイルに記録された画面切り替え等の操作を自動実行するナビゲーション装置もある（例えば、特許文献１参照）。
【先行技術文献】
【特許文献】
【０００４】
【特許文献１】特開２００５−２２１４７０号公報
【発明の概要】
【発明が解決しようとする課題】
【０００５】
ところで、車両には、ナビゲーションシステム、エアコン、ハンズフリーフォン、車両窓開閉システム等、様々な車載機器が搭載されている。また、ナビゲーションシステムには、携帯電話やスマートフォン等の携帯端末と通信接続する機能を有し、ナビゲーションシステムと車両内に持ち込まれた携帯端末との間で各種データの授受を行うことも可能となっている。
【０００６】
しかし、上記した車載機器や携帯端末に対する各種設定を行うためには、制御対象機器毎に各操作部を操作する必要があり、１回のタスク実行操作で各種設定を行うことができない。上記プログラマブル・ボタンを備えたシステムや上記特許文献１に記載された装置についても、異なる制御対象機器に対する複数の設定を、１回のタスク実行操作で実行できないので、利便性がよくないといった問題がある。
【０００７】
本発明は上記問題に鑑みたもので、異なる制御対象機器に対する複数の設定を、１回のタスク実行操作で実行できるようにすることを目的とする。
【課題を解決するための手段】
【０００８】
上記目的を達成するため、請求項１に記載の発明は、ユーザ操作に応じて、複数の異なる制御対象機器（１２、１３、２０〜２２、２、３０）を制御対象とする複数の操作を規定したショートカットを記憶媒体に記憶させるショートカット記憶手段と、ユーザの操作部（１０ｂ）に対する１回のショートカット実行指示に応じてショートカットに規定された複数の操作を実行するための複数のコマンドを複数の制御対象機器に送信する第１コマンド送信手段と、を備えたことを特徴としている。
【０００９】
このような構成によれば、ユーザ操作に応じて、複数の異なる制御対象機器（１２、１３、２０〜２２、２、３０）を制御対象とする複数の操作を規定したショートカットを記憶媒体に記憶させ、ユーザの操作部（１０ｂ）に対する１回のショートカット実行指示に応じてショートカットに規定された複数の操作を実行するための複数のコマンドが複数の制御対象機器に送信されるので、異なる制御対象機器に対する複数の設定を、１回のタスク実行操作で実行することができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】本発明の一実施形態に係る車載制御装置のブロック構成を示す図である。
【図２】ステアリングに設けられた設定スイッチについて説明するための図である。
【図３】ショートカットで設定可能な操作内容を示す図である。
【図４】ショートカット登録処理のフローチャートである。
【図５】ショートカットの登録時の画面表示について説明するための図である。
【図６】ショートカットの登録時の画面表示について説明するための図である。
【図７】コマンド送信処理のフローチャートである。
【発明を実施するための形態】
【００１２】
本発明の一実施形態に係る車載制御装置のブロック構成を図１に示す。本車載制御装置は、設定スイッチ１０、タッチスイッチ１１、カメラ１２、マイク１３、ボデーＥＣＵ２０、エアコンＥＣＵ２１、オーディオ装置２２、近距離無線通信部２４、表示部３０および制御部４０を備えている。本車載制御装置は、設定スイッチ１０の操作に応じて、制御対象機器の制御を行うものである。
【００１３】
設定スイッチ１０は、図２に示すように、車両のステアリング１に設けられている。設定スイッチ１０は、後述するショートカットスイッチ設定画面の表示指示等を行うためのショートカット表示スイッチ１０ａと、ショートカットスイッチの登録画面に従って選択操作等を行うための選択スイッチ１０ｂを有している。
【００１４】
選択スイッチ１０ｂは、上選択を指示するための上スイッチと、下選択を指示するための下スイッチと、上スイッチと下スイッチの間に配置されたエンタースイッチから成る。設定スイッチ１０および選択スイッチ１０ｂは、それぞれユーザの押下操作に応じた信号を制御部４０へ出力する。
【００１５】
タッチスイッチ１１は、表示部３０のディスプレイの前面に重ねて設けられるもので、ディスプレイに対するタッチ操作に応じた信号を制御部４０へ出力する。
【００１６】
カメラ１２は、車両前方を撮影するもので、例えば、車室内のフロントウィンドウの上部に取り付けられる。カメラ１２は、車両前方を撮影した画像を制御部４０へ出力する。
【００１７】
マイク１３は、車室内の音を集音し、集音した音に応じた音声信号を制御部４０へ出力する。
【００１８】
ボデーＥＣＵ２０は、車両の運転席窓、助手席窓、後席左窓、後席右窓およびサンルーフの開閉を制御する。ボデーＥＣＵ２０は、ＣＰＵ、メモリ、Ｉ／Ｏ等を備えたコンピュータとして構成されており、ＣＰＵはメモリに記憶されたプログラムに従って各種処理を実施する。
【００１９】
エアコンＥＣＵ２１は、車室内の暖房、冷房等の空調制御を行うものである。エアコンＥＣＵ２１は、ＣＰＵ、メモリ、Ｉ／Ｏ等を備えたコンピュータとして構成されており、ＣＰＵはメモリに記憶されたプログラムに従って各種処理を実施する。
【００２０】
エアコンＥＣＵ２１の処理としては、内気循環と外気循環の切替を行う内外気切替処理、エアコンのオンオフの設定を行うエアコン作動処理、フェイスモード、バイレベルモード、フットモード、フット＋デフモード、デフモード等の吹出し口モードの設定を行う吹出し口モード設定処理、車室内温度の設定を行う温度設定処理等がある。
【００２１】
なお、エアコンＥＣＵ２１およびボデーＥＣＵ２０は、車両ＬＡＮを介して制御部４０と接続されている。
【００２２】
近距離無線通信部２４は、スマートフォン２などの携帯端末とブルートゥース通信規格やＷｉ−Ｆｉ規格、ＮＦＣ通信規格などに基づく通信を行うものである。
【００２３】
スマートフォン２は、着信のあった相手の電話番号に電話をかける電話自動返信機能、通信網を介してＳＮＳ（Ｓｏｃｉａｌ  Ｎｅｔｗｏｒｋｉｎｇ   Ｓｅｒｖｉｃｅ）通知を受信するＳＮＳ通知機能、通信網を介してＳＮＳに投稿するＳＮＳ投稿機能、通信網を介して電子メールを受信するメール受信機能、現在位置を周期的に特定し、現在位置周辺の地図上に現在位置マークと走行軌跡を重ねて表示する走行軌跡表示機能、自宅等の地点情報を保存する地点情報保存機能等がある。
【００２４】
オーディオ装置２２は、ＣＤ、ＤＶＤ等の記憶媒体に録音された楽曲の再生、ラジオ放送の受信等を行うものである。オーディオ装置２２は、制御部４０からのコマンドに応じてスピーカの音量の変更、音楽の再生開始、再生中の音楽の一時停止等を行うことが可能となっている。
【００２５】
表示部３０は、液晶等のディスプレイを有し、制御部４０より入力される画像信号に基づく画像をディスプレイに表示させる。本実施形態における表示部３０は、インストルメントパネルの左右中央に配置され、車両のセンターディスプレイを構成している。
【００２６】
制御部４０は、ＣＰＵ、メモリ、Ｉ／Ｏ等を備えたコンピュータとして構成されており、ＣＰＵはメモリに記憶されているプログラムに従って各種処理を実施する。
【００２７】
本車載制御装置は、複数の異なる制御対象機器を制御対象とする複数の設定内容を規定したショートカットを登録しておき、このショートカットの実行を指示する操作を行うと、ショートカットに規定された複数の操作を実行するための複数のコマンドが各制御対象機器へ送信されるようになっている。
【００２８】
ショートカットで規定することが可能な設定項目と設定内容の例を図３に示す。「運転席窓開閉」、「助手席窓開閉」、「後席左窓開閉」、「後席右窓開閉」、「サンルーフ開閉」の設定項目は、ボデーＥＣＵ２０に対する操作項目である。また、「音量」は、オーディオ装置２２に対する操作項目である。また、「内外気切替」、「エアコン作動」、「吹出し口」、「設定温度」は、エアコンＥＣＵ２１に対する操作項目である。
【００２９】
また、「ＳＮＳ通知」、「メール通知」、「連絡先表示」、「検索履歴表示」、「タイムライン詳細表示」、「走行軌跡表示」は、制御部４０がスマートフォン２から各種情報を取得し、取得した情報に基づく画像を表示部３３に表示させるものである。
【００３０】
また、「写真撮影」は、カメラ１２に対する操作項目である。また、「地点情報保存（スマホへ転送）」、「友人タグ付け」、「定型文添付」、「ＳＮＳ投稿」は、スマートフォン２に対する操作項目である。
【００３１】
また、「ボイスメモ録音（スマホへ転送）」は、マイク１３をオン状態として、ユーザの音声を録音し、録音データをスマートフォン２へ転送するものである。
【００３２】
本実施形態では、例えば、ボデーＥＣＵ２０に対する設定項目である「運転席窓開閉」について「少し空ける」または「全開」を設定し、更に、「助手席窓開閉」について「少し空ける」または「全開」を設定することが可能となっている。
【００３３】
また、例えば、ボデーＥＣＵ２０に対する設定項目である「運転席窓開閉」について「少し空ける」または「全開」を設定し、更に、エアコンＥＣＵ２１に対する設定項目である「内外気切替」について「内気循環」または「外気導入」を設定し、更に、スマートフォン２に対する設定項目である「メール通知」について「オン」または「オフ」を設定することも可能となっている。
【００３４】
制御部４０は、ユーザ操作に応じて、カメラ１２、マイク１３、ボデーＥＣＵ２０、エアコンＥＣＵ２１、オーディオ装置２２、スマートフォン２、表示部３０等の複数の異なる制御対象機器を制御対象とする複数の設定内容を規定したショートカットを記憶媒体に記憶させるショートカット登録処理と、ショートカットに規定された複数の操作を実行するための複数のコマンドを、ユーザ操作によるショートカット実行指示に応じて送信するコマンド送信処理を実施する。
【００３５】
図４に、制御部４０によるショートカット登録処理のフローチャートを示す。制御部４０は、ショートカット表示スイッチ１０ａよりユーザの押下操作に応じた信号が入力されると、図４に示す処理を実施する。
【００３６】
まず、ショートカットスイッチ設定画面を表示部３０に表示させる（Ｓ１００）。このショートカットスイッチ設定画面の表示例を図５に示す。図に示すように、ショートカットスイッチ設定画面には、設定画面に戻すための設定スイッチＳ１１と、ショートカットスイッチを新規に設定するための新規スイッチＳ１２と、ショートカットスイッチの詳細設定を行うための設定スイッチＳ１３と、ショートカットスイッチを削除するための削除スイッチＳ１４が選択可能に表示されている。
【００３７】
また、ショートカットスイッチ設定画面には、既に登録されている複数のショートカットスイッチが表示されている。具体的には、「１．換気モード」、「２．ＳＮＳ投稿モード」、「３．プライバシーモード」、「４．急速暖気モード」、「５．急速冷房モード」、「６．曇りとりモード」が表示されている。なお、スクロール操作することで、表示画面に表示されていないショートカットスイッチを表示させることも可能となっている。
【００３８】
図５中では、走行中でも操作することができる１〜４のショートカットスイッチをハッチングで示し、走行中には操作することのできない５、６のショートカットスイッチをハッチングなしで示してあるが、実際には、１〜４のショートカットスイッチと５、６のショートカットスイッチとが互いに異なる色で表示される。
【００３９】
なお、ユーザの選択スイッチ１０ｂの操作によりショートカットスイッチ設定画面に表示された新規スイッチＳ１２が選択操作されると、図６に示すマルチタスクコマンド設定画面が表示される。このマルチタスクコマンド設定画面に従ってショートカットスイッチの新規登録を行うことが可能となっている。
【００４０】
このマルチタスクコマンド設定画面には、ショートカットスイッチ設定画面に戻すためのＳＣ設定スイッチＳ２１と、ショートカットスイッチを登録するための登録スイッチＳ２２が選択可能に表示されている。
【００４１】
また、マルチタスクコマンド設定画面には、「運転席窓開閉」、「助手席窓開閉」、「後席左窓開閉」、・・「タイマー」の各設定項目と設定内容が表示されており、設定項目毎に設定内容を選択するようになっている。
【００４２】
例えば、「運転席窓開閉」の表示の左にあるチェックボックスを有効にすると、「運転席窓開閉」の表示の右にある「少し開ける」または「全開」のいずれかの選択が可能となり、「少し開ける」または「全開」のいずれかを選択するようになっている。なお、「運転席窓開閉」の表示の左にあるチェックボックスを無効にすると、「運転席窓開閉」の表示の右にある「少し開ける」または「全開」の選択も無効となる。
【００４３】
また、「タイマー」の表示の左にあるチェックボックスを有効にすると、「タイマー」の表示の右にある時間入力部の入力が可能となる。ここで、例えば、１０分（ｍｉｎ）と入力すると、１０分間のタイマー機能が有効となる。
【００４４】
図４の説明に戻り、次に、ユーザ操作の受付を行う（Ｓ１０２）。具体的には、図６に示したマルチタスクコマンド設定画面に従って行われるユーザ操作の入力受付を行う。具体的には、マルチタスクコマンド設定画面に表示された設定項目の設定と、名称欄へのショートカットスイッチ名の入力を受け付ける。なお、ショートカットスイッチ名の入力は、タッチスイッチ１１を用いて入力することが可能となっている。
【００４５】
次に、マルチタスクコマンド設定画面に表示された登録スイッチＳ２２が選択操作されると、Ｓ１０２にて入力受付した設定内容をメモリに記憶させる（Ｓ１０４）。具体的には、名称欄に入力したショートカットスイッチ名で、マルチタスクコマンド設定画面で有効とした複数の制御対象機器のみを制御対象とする複数の設定内容を規定したショートカットをメモリに記憶させる。このようにして、新たなショートカットスイッチがメモリに記憶されると、図５に示したショートカットスイッチ設定画面に新たなショートカットスイッチが追加して表示されるようになる。
【００４６】
図７に、制御部４０によるコマンド送信処理のフローチャートを示す。制御部４０は、ユーザによりショートカット表示スイッチ１０ａが押下操作されると、図７に示す処理を実施する。
【００４７】
まず、ショートカットスイッチ設定画面を表示部３０に表示させる（Ｓ１００）。なお、このショートカットスイッチ設定画は、図５に示したものと同じである。
【００４８】
次に、ユーザによる選択スイッチ１０ｂの操作に応じて特定のショートカットの実行が指示されると、このショートカットのショートカット情報の読み込みを行う（Ｓ２０２）。例えば、図５に示したショートカットスイッチ設定画面に従い、ユーザが選択スイッチ１０ｂの上スイッチまたは下スイッチを操作して「１．換気モード」を選択し、選択スイッチ１０ｂのエンタースイッチを操作することにより「１．換気モード」のショートカット実行指示が行われると、「１．換気モード」のショートカット情報がメモリから読み込まれる。
【００４９】
次に、現状設定の情報要求を行う（Ｓ２０４）。具体的には、選択されたショートカットに規定された設定項目について現状設定の情報要求を行う。例えば、「１．換気モード」のショートカットが選択されている場合には、「１．換気モード」のショートカット情報に規定されている設定項目についての現状設定の情報の送信要求を各制御対象機器に対して行う。
【００５０】
次に、現状設定の情報を取得する（Ｓ２０６）。具体的には、Ｓ２０４にて送信した現状設定の情報の送信要求に応答して、各制御対象機器より送信される現状設定の情報を取得する。
【００５１】
次に、選択されたショートカットの実行が可能か否かを判定する（Ｓ２０８）。すなわち、選択されたショートカットに規定されている全ての設定内容の実行が可能か否かを判定する。車両から各種情報を取得し、取得した情報に基づいて予め定められた判定条件を満たしているか否かに基づいてショートカットに規定されている全ての設定内容の実行が可能か否かを判定する。
【００５２】
ここで、例えば、選択されているショートカットにカメラ１３による写真撮影が含まれているのに、カメラ１３が取り外されてカメラ１３からの信号入力がなく、上記判定条件を満たしてない場合、Ｓ２０８の判定はＮＯとなり、ショートカットに規定されている操作の実行が不可である旨をユーザに通知する（Ｓ２１０）。具体的には、表示部３０に、「マルチタスクコマンドを送出できません。」といったメッセージを表示させ、本処理を終了する。
【００５３】
また、上記判定条件を満たしており、選択されているショートカットの全ての設定内容の実行が可能な場合、Ｓ２０８の判定はＹＥＳとなり、次に、Ｓ２０６にて取得した現状設定の情報をメモリに記憶させる（Ｓ２１２）。例えば、ボデーＥＣＵ２０から送信される現状設定の情報に、車両の運転席窓が閉まっていることを示す情報が含まれる場合、車両の運転席窓が閉まっていることを示す情報をメモリに記憶させる。また、エアコンＥＣＵ２１から送信される現状設定の情報に、内気循環を示す情報が含まれる場合、内気循環を示す情報をメモリに記憶させる。
【００５４】
次に、コマンドを送信する（Ｓ２１４）。具体的には、選択されたショートカットに規定されている全ての設定、操作を実行するための複数のコマンドを複数の制御対象機器に送信する。
【００５５】
ここで、選択されたショートカットにおいてタイマー機能が有効となっているものとする。このように、タイマー機能が有効となっている場合、次に、タイマー機能で指定された時間（例えば、１０分）のタイマカウントを開始する（Ｓ２１６）。
【００５６】
次に、再度、ショートカットスイッチが操作されたか否かを判定する（Ｓ２１８）。
【００５７】
ここで、ショートカットスイッチが操作されていない場合、Ｓ２１８の判定はＮＯとなり、タイマカウントが終了したか否かを判定し（Ｓ２２０）、タイマカウントが終了してない場合、Ｓ２１８へ戻る。
【００５８】
したがって、再度、ショートカットスイッチが操作されることなく、タイマー機能で指定された時間（例えば、１０分）が経過して、タイマカウントが終了すると、Ｓ２１８の判定はＮＯ、Ｓ２２０の判定はＹＥＳとなり、次に、変更前設定を読み出す（Ｓ２２２）。すなわち、Ｓ２１２にてメモリに記憶した現状設定の情報を読み出す。
【００５９】
次に、変更前設定のコマンドを送信する（Ｓ２２４）。具体的には、Ｓ２２２にてメモリから読み出した現状設定の情報に基づいて、変更前の設定に戻すためのコマンドを各制御対象機器に送信し、本処理を終了する。
【００６０】
また、タイマカウントが終了する前に、再度、ショートカットスイッチが操作された場合、Ｓ２１８の判定はＹＥＳとなり、次に、キャンセルするか否かを判定する（Ｓ２２６）。具体的には、再度、操作されたショートカットスイッチが、先に選択されていたショートカットスイッチと同じであるか否か基づいてキャンセルするか否かを判定する。
【００６１】
ここで、再度、操作されたショートカットスイッチが、先に選択されているショートカットスイッチと同じである場合、Ｓ２２６の判定はＹＥＳとなり、次に、変更前の設定に戻すことができるか否かを判定する（Ｓ２２８）。具体的には、車両から各種情報を取得し、取得した情報に基づいて予め定められた判定条件を満たしているか否かに基づいて変更前の設定に戻すことができるか否かを判定する。
【００６２】
ここで、上記判定条件を満たしており、変更前の設定に戻すことができる場合、Ｓ２２８の判定はＹＥＳとなり、Ｓ２２２へ進む。すなわち、タイマカウントが終了する前に、メモリから変更前設定が読み出され、Ｓ２２４にて設定変更前のコマンドが送信される。これにより、変更前の設定状態に戻る。
【００６３】
また、例えば、車速が一定値以上の場合に、先行車両との車間距離を一定に保つように走行制御を行う運転支援装置が制御対象となっている場合で、車速が上記判定条件を満たしていないような場合、Ｓ２２８の判定はＮＯとなり、変更前の設定に戻すことができない旨をユーザに通知する（Ｓ２３０）。例えば、「変更前の設定に戻すことことができません。」といったメッセージを表示部３０に表示させ、本処理を終了する。
【００６４】
また、再度、操作されたショートカットスイッチが、先に選択されているショートカットスイッチと異なる場合には、Ｓ２２６の判定はＮＯとなり、Ｓ２０２へ進む。この場合、Ｓ２０２にて、再度、操作されたショートカットスイッチのショートカットスイッチ情報の読み込みが行われた後、Ｓ２０４以降の処理へと進む。これにより、再度、操作されたショートカットスイッチの実行が指示された場合と同様の動作となる。
【００６５】
なお、選択されたショートカットにおいてタイマー機能が有効となっていない場合には、Ｓ２１４にてコマンドを送信した後、本処理を終了する。
【００６６】
上記した処理により、例えば、図５に示したショートカットスイッチ設定画面で、「１．換気モード」に対するショートカット実行指示が行われると、運転席窓が少し開き、助手席窓が少し開き、内外気切替が外気導入となり、サンルーフがチルトアップする、といったことが可能である。
【００６７】
また、「２．ＳＮＳ投稿モード」に対するショートカット実行指示が行われると、カメラ１２に写真を撮影させ、この写真をスマートフォン２に送信してスマートフォン２に写真に定型文を添付して投稿準備するように指示する、といったことが可能である。
【００６８】
また、「３．プライバシーモード」に対するショートカット実行指示が行われると、表示部３０への連絡先の表示が非表示となり、表示部３０への検索履歴の表示も非表示となり、表示部３０へのタイムライン詳細表示も非表示となり、スマートフォン２の電話自動返信機能がオンとなり、スマートフォン２のメール着信がオフとなり、スマートフォン２のＳＮＳ着信もオフとなる、といったことが可能である。
【００６９】
また、「４．急速暖房モード」に対するショートカット実行指示が行われると、内外気切替が内気循環となり、リアＤＥＦ（リアウィンドウに設けられた熱線）がオンとなり、吹出し口モードがフットモードとなり、ブロア風量の設定が２となり、ショートカット実行指示が行われてから１０分が経過すると、ショートカット実行指示前の設定状態に戻る、といったことが可能である。
【００７０】
また、「５．急速冷房モード」に対するショートカット実行指示が行われると、内外気切替が内気循環となり、設定温度がローとなり、吹出し口モードがフェイスモードとなり、ブロア風量の設定が３となり、ショートカット実行指示が行われてから１０分が経過すると、ショートカット実行指示前の設定状態に戻る、といったことが可能である。
【００７１】
また、「６．曇りとりモード」に対するショートカット実行指示が行われると、内外気切替が外気導入となり、吹出し口モードがデフモードとなり、エアコン作動がオンとなり、ショートカット実行指示が行われてから２分が経過すると、ショートカット実行指示前の設定状態に戻る、といったことが可能である。
【００７２】
また、「７．ドライブスルーモード」に対するショートカット実行指示が行われると、運転席窓が全開となり、音楽再生が一時停止となり、オーディオ装置２２の音量設定がミュートとなる、といったことが可能である。
【００７３】
また、「８．ボイスメモ付地点登録」に対するショートカット実行指示が行われると、地点情報がメモリに保存され、マイク１３をオン状態とし、動作ボイスメモの録音準備状態となり、ユーザ操作によりボイスメモの録音が指示されるとボイスメモを録音し、地点情報にボイスメモの録音データを付けてスマートフォン２へ送信する、といったことが可能である。
【００７４】
上記した構成によれば、ユーザ操作に応じて、複数の異なる制御対象機器（１２、１３、２０〜２２、２、３０）を制御対象とする複数の操作を規定したショートカットを記憶媒体に記憶させ、ユーザの操作部（１０ｂ）に対する１回のショートカット実行指示に応じてショートカットに規定された複数の操作を実行するための複数のコマンドが複数の制御対象機器に送信されるので、異なる制御対象機器に対する複数の設定を、１回のタスク実行操作で実行することができる。
【００７５】
また、複数のコマンドが送信される前の設定状態を記憶し、ショートカットに、指定時間が経過すると複数の操作を実行する前の状態に戻すタイマー設定が規定されている場合、複数のコマンドが送信されてから指定時間が経過すると、複数のコマンドが送信される前の設定状態に戻すためのコマンドが複数の制御対象機器に送信されるので、より高度な操作を行うことが可能である。
【００７６】
また、複数のコマンドが送信されてから指定時間が経過する前にキャンセル操作が行われた場合、複数のコマンドが送信される前の設定状態に戻すことができるか否かを判定し、複数のコマンドが送信される前の設定状態に戻すことができないと判定された場合、複数のコマンドが送信される前の設定状態に戻すことができない旨をユーザに通知することができる。
【００７７】
また、メモリには複数のショートカットが記憶されるようになっており、複数のショートカットを表示部３０に表示させ、表示部３０に表示された複数のショートカットのうちユーザ操作により選択された１つのショートカットのショートカット実行指示に応じて複数のコマンドをが送信される。すなわち、ユーザは、表示部３０に表示された複数のショートカットから、所望のショートカットを容易に選択して、ショートカット実行指示を行うことが可能である。
【００７８】
また、ユーザの選択スイッチ１０ｂに対する１回のショートカット実行指示の後、ショートカットに規定された複数の操作を実行できる状況か否かを判定し、ショートカットに規定された複数の操作を実行できる状況でないと判定された場合、ショートカットに規定された複数の操作を実行できる状況でない旨をユーザに通知することもできる。
【００７９】
なお、本発明は上記実施形態に限定されるものではなく、本発明の趣旨に基づいて種々なる形態で実施することができる。
【００８０】
例えば、上記実施形態では、カメラ１２、マイク１３、ボデーＥＣＵ２０、エアコンＥＣＵ２１、オーディオ装置２２、スマートフォン２および表示部３０を制御対象機器として、各制御対象機器を制御対象とする複数の操作を規定したショートカットを記憶媒体に記憶させる例を示したが、これらの制御対象機器に限定されるものではなく、例えば、ナビゲーション装置、ヘッドアップディスプレイ、先行車両との車間距離を一定に保つように走行制御を行う運転支援装置等を制御対象機器に含むように構成してもよい。
【００８１】
また、上記実施形態では、選択スイッチ１０に対する操作によりショートカット実行指示を行うようにしたが、ユーザにより発せられるコマンドを音声認識し、音声認識したコマンドに基づいてショートカット実行指示を行うようにしてもい。この場合、例えば、「換気モード実行」、「ＳＮＳ投稿モード実行」等のコマンドに基づいてショートカット実行指示を行うことができる。
【００８２】
また、上記実施形態では、Ｓ２１４にてショートカットに規定された複数の操作を実行するための複数のコマンドを送信してマクロを実行し、このマクロの実行中にユーザにより新たな別のショートカット実行指示が行われた場合、Ｓ２２６にてＮＯと判定され、Ｓ２０２へ進み、新たな別のショートカット実行指示に応じて新たな別のショートカット情報の読み込みを行う例を示したが、例えば、Ｓ２０２にて新たな別のショートカット実行指示に応じて新たな別のショートカット情報の読み込みを行う前に、実行中のショートカットに規定された複数の操作と、新たな別のショートカットに規定された複数の操作の間に、矛盾する操作項目があるか否かの判定を行うようにしてもよい。例えば、実行中のショートカットに運転席窓を全開にすることが規定されているのに対し、新たな別のショートカットに運転席窓を閉めることが規定されている場合、矛盾する操作項目があると判定し、ユーザに矛盾する操作項目がある旨を通知して、Ｓ２０２へ進むようにしてもよい。
【００８３】
また、上記実施形態では、車両のステアリング１に設けられたショートカット表示スイッチ１０ａと選択スイッチ１０ｂを用いてショートカットスイッチ設定画面の表示や、ショートカットの登録等を行うようにしたが、ショートカット表示スイッチ１０ａや選択スイッチ１０ｂのようなスイッチに限定されるものではない。
【００８４】
なお、上記実施形態における構成と特許請求の範囲の構成との対応関係について説明すると、Ｓ１０２、Ｓ１０４がショートカット記憶手段に相当し、Ｓ２１４が第１コマンド送信手段に相当し、Ｓ２０４、Ｓ２０６、Ｓ２１２が設定状態記憶手段に相当し、Ｓ２１６、Ｓ２２０、Ｓ２２４が第２コマンド送信手段に相当し、Ｓ２００がショートカット表示手段に相当し、Ｓ２２８が判定手段に相当し、Ｓ２３０が第１通知手段に相当し、Ｓ２０８が状況判定手段に相当し、Ｓ２１０が第２通知手段に相当する。
【符号の説明】
【００８５】
１    ステアリング
２    スマートフォン
１０  設定スイッチ
１１  タッチスイッチ
１２  カメラ
１３  マイク
２０  ボデーＥＣＵ
２１  エアコンＥＣＵ
２２  オーディオ装置
３０  表示部
【図１】
2014207606.tif 000003
【図２】
2014207606.tif 000004
【図３】
2014207606.tif 000005
【図４】
2014207606.tif 000006
【図５】
2014207606.tif 000007
【図６】
2014207606.tif 000008
【図７】
2014207606.tif 000009